(57)【要約】【課題】表面をハンカチーフ、裏面をワイピングクロスといった具合に、相互に異なる２つの機能を表と裏で使い分けることができるだけでなく、吸水性、吸汗性にも優れた機能性ハンカチーフを提供することを目的とする。【解決手段】平織物からなる表地Ａと、マイクロファイバーからなるマルチフィラメント糸が経編により高密度に編成されてなる裏地Ｂとを縫着した。【選択図】図１
0003204424.tif 000002
【実用新案登録請求の範囲】
【請求項１】
平織物からなる表地と、
マイクロファイバーからなるマルチフィラメント糸が経編により高密度に編成されてなる裏地とが縫着された機能性ハンカチーフ。
【請求項２】
請求項１に記載の機能性ハンカチーフであって、
前記裏地の表面に起毛加工が施された機能性ハンカチーフ。
【請求項３】
請求項１又は２に記載の機能性ハンカチーフであって、
前記表地は、綿、絹、麻等の天然繊維、又は、ポリエステル繊維糸、ナイロン繊維糸等の化学繊維から編成されてなる機能性ハンカチーフ。
【請求項４】
請求項１から３のいずれか一つに記載の機能性ハンカチーフであって、
前記裏地は、前記マルチフィラメント糸により縦方向に並列して延びる鎖編目列を編成するとともに、該鎖編目列の一つおきに隣接する鎖編に前記マルチフィラメント糸を挿入糸として横振りして編み込むことによって基布を編成し、この基布の表面側に前記マルチフィラメント糸からなる柄糸をコード編により編み込んでなるものである機能性ハンカチーフ。
【考案の詳細な説明】
【技術分野】
【０００１】
本考案は、ハンカチーフに係り、特に、吸水性、吸汗性に優れるとともに、眼鏡のレンズや携帯端末の画面などに付着した汚れの拭き取りにも好適なワイピングクロスも兼ねた機能性ハンカチーフに関する。
【背景技術】
【０００２】
これまで、ワイピングクロスの機能も有するハンカチーフが種々提案されている。例えば、特許文献１には、表面に所望模様を施した表生地を絹地とし、その裏面に極細のポリエステル繊維を編み込んで成る裏生地を重ね合わせ、それら絹地と裏生地との周縁部を縫製して成るファッション性と実用性とを有する眼鏡拭き兼用ハンカチーフが提案されている。このハンカチーフによれば、表面に所望模様をプリントした表生地を絹地としたので、そのファッション性が損なわれず、ポケットチーフとしての機能を有する。また、表生地の裏面に、裏生地として１枚の極細のポリエステル繊維を編み込んでなる裏生地を重ね合わせたものであるから、眼鏡拭きとしての効果を充分に発揮でき、ポケット・ハンカチーフとすれば、一々眼鏡ケースから取り出す煩雑な手間が不要となり、極めて便利である、とされている。
【０００３】
また、特許文献２には、合成繊維極細仮撚り捲縮マルチフィラメント糸と天然繊維との交織からなるワイピングクロスが提案されている。このワイピングクロスによれば、吸水性のあるハンカチーフの機能と、効率よく眼鏡のレンズの曇りをとることのできる眼鏡拭きの両方の機能を同時に併せ持ち、眼鏡を拭くのにハンカチーフで不便と感じる眼鏡着用者にとって便利なものとされている。
【０００４】
さらに、特許文献３には、ハンカチに眼鏡拭き用の布を一箇所又は複数箇所に亘って部分的に縫い付けるか又は貼り付けてなるメガネ拭き用布が提案されている。このメガネ拭き用布によれば、ハンカチとして使用したり、眼鏡拭きとして使用したりすることができるとされている。
【先行技術文献】
【特許文献】
【０００５】
【特許文献１】実用新案登録第３０６０４５７号公報
【特許文献２】特開２００１−１４６６５７号公報
【特許文献３】実用新案登録第３０７３７０７号公報
【考案の概要】
【考案が解決しようとする課題】
【０００６】
特許文献１に開示された眼鏡拭き兼用ハンカチーフにあっては、絹製の表生地と、極細のポリエステル繊維を編み込んだ裏生地とから構成されたものであるため、全体としての吸水性及び吸汗性は従来の絹製のハンカチーフと大差がなく、この点で満足のいくものではなかった。
【０００７】
特許文献２に開示されたワイピングクロスにあっては、２種類の糸を交織してなる、いわゆる１枚ものであるため、当然のことながら、濡れた手を拭いたり顔の汗を拭いたりした面で眼鏡のレンズを拭くことになる場合もあり、眼鏡のレンズの拭き取り時に、繊維に付着している汗がレンズに移る虞があった。また、眼鏡のレンズや携帯端末の画面などに付着した汚れを拭き取った後に、汚れを拭き取った面と同じ面で顔の汗を拭いたりすることは、衛生面で問題があった。
【０００８】
特許文献３に開示されたメガネ拭き用布にあっては、眼鏡拭き用の布をハンカチの一部に縫い付けるか又は貼り付けたものであるため、吸水性及び吸汗性はハンカチが単独で担うことになり、従来のハンカチと変わらない。また、眼鏡拭き用の布をハンカチに部分的に設けているだけであるため、眼鏡拭きとして使用する際、眼鏡拭き用の布の部分をわざわざたぐり出す必要があり、使い勝手がよくなかった。
【０００９】
本考案は、係る点に鑑みて創案されたものであり、その目的とするところは、例えば表面をハンカチーフ、裏面をワイピングクロスといった具合に、相互に異なる２つの機能を表と裏で使い分けることができるだけでなく、吸水性、吸汗性にも優れた機能性ハンカチーフを提供することを目的とする。
【課題を解決するための手段】
【００１０】
上記した目的を達成するため、本考案に係る機能性ハンカチーフは、平織物からなる表地と、マイクロファイバーからなるマルチフィラメント糸が経編により高密度に編成されてなる裏地とが縫着されたものである。
【００１１】
このような特定事項によれば、裏地がマイクロファイバーからなるマルチフィラメント糸を経編により高密度に編成してなるものであるから、吸水性及び吸汗性に優れたものとなる。すなわち、図６に示すように、マイクロファイバーＭは、横断面が楔状（略三角形状）の例えばポリエステル繊維Ｐとナイロン繊維Ｎとが放射状に配され、これら両繊維の間には極めて狭い隙間ｇが存在しているため、水に触れるとその隙間ｇに毛細管現象によって水分が取り込まれることとなる。そして、その水分の吸収量は綿の吸収力の３〜５倍であることから、従来のハンカチーフに比べて極めて高い吸水性及び吸汗性が得られる。
【００１２】
上記の機能性ハンカチーフにあっては、裏地の表面に起毛加工が施されていてもよい。
【００１３】
この場合、裏地の表面に無数の繊毛が存することになるため、吸水性及び吸汗性がより高いものとなるばかりでなく、柔軟性が増すため、眼鏡などのレンズ面の汚れ拭き取り機能もより高くなるとともに肌触りも優れたものとなる。
【００１４】
また、上記機能性ハンカチーフにあっては、表地は、綿、絹、麻等の天然繊維、又は、ポリエステル繊維糸、ナイロン繊維糸等の化学繊維から編成されてなるものであってもよい。
【００１５】
この場合、従来のハンカチーフと同様、ファッション性に富んだデザインのものを容易に作製することができるとともに、天然繊維を採択したときは、吸水性及び吸汗性もより高いものとなる。
【００１６】
さらに、上記機能性ハンカチーフにあっては、裏地は、マルチフィラメント糸により縦方向に並列して延びる鎖編目列を編成するとともに、該鎖編目列の一つおきに隣接する鎖編に前記マルチフィラメント糸を挿入糸として横振りして編み込むことによって基布を編成し、この基布の表面側に前記マルチフィラメント糸からなる柄糸をコード編により編み込んでなるものであってもよい。
【００１７】
この場合、裏地が厚手で安定度の高いものとなるため、吸水性及び吸汗性がより一層高いものとなるとともに、伸縮性が抑えられるので裁断加工がし易いものとなる。
【考案の効果】
【００１８】
本考案によれば、表面をハンカチーフ、裏面をワイピングクロスといった具合に、相互に異なる２つの機能を表と裏で使い分けることができるだけでなく、吸水性、吸汗性にも優れた機能性ハンカチーフを提供することができる。
【図面の簡単な説明】
【００１９】
【図１】図１は、本考案に係る機能性ハンカチーフの一実施形態を示す分解斜視図である。
【図２】図２は、図１に示す機能性ハンカチーフの裏地の部分組織図であり、（ａ）は上から観た部分組織図、（ｂ）は正面から観た部分組織図である。
【図３】図３は、裏地の組織の部分拡大図である。
【図４】図４は、裏地の組織の側断面図である。
【図５】図５は、裏地の組織分解図である。
【図６】図６は、裏地を構成するマイクロファイバーの構造例を模式的に示す横断面図である。
【考案を実施するための形態】
【００２０】
以下、本考案に係る機能性ハンカチーフの一実施形態について、図面を参照して説明する。
【００２１】
図１は、本考案に係るハンカチーフの一実施形態を示す分解斜視図、図２は、その裏地の部分組織図であり、（ａ）は上から観た部分組織図、（ｂ）は正面から観た部分組織図、図３は、裏地の組織の部分拡大図、図４は、裏地の組織の側断面図、図５は、裏地の組織分解図である。
【００２２】
この機能性ハンカチーフは、図１の分解斜視図に示すように、平織物からなる表地Ａと、マイクロファイバーからなるマルチフィラメント糸が経編により高密度に編成されてなる裏地Ｂとが縫着されたものである。なお、図１では、説明の都合上、表地Ａを下側に裏地Ｂを上側にして描いており、裏地Ｂの表面と表地Ａの裏面とがそれぞれ表れている。
【００２３】
表地Ａは、綿、絹、麻等の天然繊維、又は、ポリエステル繊維糸、ナイロン繊維糸等の化学繊維から編成された平織物である。この表地Ａの表面（図１には表れない）には、適宜の図柄や文字など好みのデザインが例えばプリントされたり、あるいは編成時に複数色の糸を使用することにより模様を表出させたりしてもよい。
【００２４】
裏地Ｂは、上記したように、マイクロファイバーのマルチフィラメント糸を経編により高密度に編成してなるものである。より具体的には、図２乃至図５に示すように、マルチフィラメント糸により縦方向に並列して延びる鎖編目列１を編成するとともに、該鎖編目列１の一つおきに隣接する鎖編にマルチフィラメント糸を挿入糸２として横振りして編み込むことによって基布を編成し、この基布の表面側にマルチフィラメント糸からなる柄糸３をコード編により編み込んだ構成とされている。このような編成を行うには、例えばラッセル編機の使用が効率的である。
【００２５】
そして、このようになる裏地Ｂは、図１に示すように、その表面が起毛加工されている。この起毛加工は、例えば、周方向に複数の針布ローラが取り付けられた起毛ドラムと送りローラとが配設された移送路を有する、例えば特開平７−９０７７１号公報に開示されているような周知の起毛機を用い、この起毛機の搬送路内に裏地Ｂを走行させることで行われる。また、裏地Ｂは、上記したように、マイクロファイバーのマルチフィラメント糸といった極細繊維から編成されているので、このような極細繊維からなる布帛の起毛に適した、例えば特開平５−１８６９６０号公報に開示されているような起毛機を用いるとよい。なお、起毛機の構成及び起毛の施し方については上記の各公報に開示されているので、ここではその説明を省略する。
【００２６】
以上のようになる平織物からなる表地Ａとマイクロファイバーからなるマルチフィラメント糸が経編により高密度に編成されてなる裏地Ｂとは、図１に示すように、それぞれ同一形状に裁断されており、これら表地Ａと裏地Ｂとを重ね合わせて相互の周囲を縫着することにより本考案に係る機能性ハンカチーフが得られる。
【００２７】
なお、上記実施形態では、裏地Ｂの表面は起毛加工が施されているが、起毛加工を省いてもよい。
【００２８】
以上説明したように、本考案の機能性ハンカチーフは、裏地Ｂがマイクロファイバーからなるマルチフィラメント糸を経編により高密度に編成してなるものであるから、吸水性及び吸汗性に優れたものとなる。また、裏地Ｂの表面に起毛加工が施される場合は、裏地Ｂの表面に無数の繊毛が存することになるため、吸水性及び吸汗性がより高いものとなるばかりでなく、柔軟性が増すため、眼鏡などのレンズ面の汚れ拭き取り機能もより高くなるとともに肌触りも優れたものとなる。また、裏地Ｂとして、マルチフィラメント糸により縦方向に並列して延びる鎖編目列を編成するとともに、該鎖編目列の一つおきに隣接する鎖編に前記マルチフィラメント糸を挿入糸として横振りして編み込むことによって基布を編成し、この基布の表面側に前記マルチフィラメント糸からなる柄糸をコード編により編み込んでなるものとした場合は、裏地Ｂが厚手で安定度の高いものとなるため、吸水性及び吸汗性がより一層高いものとなるとともに、伸縮性が抑えられるので裁断加工がし易いものとなる。
【符号の説明】
【００２９】
Ａ  表地
Ｂ  裏地
２  挿入糸
３  柄糸
【図１】
0003204424.tif 000003
【図２】
0003204424.tif 000004
【図３】
0003204424.tif 000005
【図４】
0003204424.tif 000006
【図５】
0003204424.tif 000007
【図６】
0003204424.tif 000008